(57)【特許請求の範囲】
【請求項１】
消し具で拭いてその液保持材で記録面に液体を付着し、その液体とインクとの化学反応で前記記録面上の書込み内容を消去する記録面上の書込み内容消去装置において、
液体を収納する液収納容器を備え、
その液収納容器内の液体に前記消し具を漬けたとき液体を含浸することができる多孔質体で前記液保持材を形成する一方、
前記消し具が、前記液保持材と、その液保持材を取り付けるホルダと、そのホルダに開閉自在に取り付ける取っ手とからなり、
その取っ手が、それを閉じたとき前記液保持材を圧縮してその液保持材に含浸する余分な液体を絞り出す絞り手段を兼ねている、
記録面上の書込み内容消去装置。
【請求項２】
前記絞り手段を兼ねる前記取っ手を閉じて折り畳むときの折り畳み角度を調整可能としてなる、請求項１に記載の記録面上の書込み内容消去装置。
【請求項３】
前記ホルダと前記取っ手に、その取っ手を開いたとき互いに係合してその開いた状態を保持する凹凸部を設けてなる、請求項１に記載の記録面上の書込み内容消去装置。
【請求項４】
前記液収納容器に、液体を自動的に補給する自動液体補給手段を設けてなる、請求項１、２、または３に記載の記録面上の書込み内容消去装置。
【請求項５】
前記絞り手段による圧縮割合を変えて前記液保持材に含浸する液体の絞し出し量を部分的に異ならしめ、前記液保持材に、それで前記記録面を拭いたときその記録面に液体を付着する液付着部と該記録面に付着している液体を拭き取る拭き取り部とを設けてなる、請求項１、２、３、または４に記載の記録面上の書込み内容消去装置。
【請求項６】
前記液保持材を、ポリビニルアルコールを原料とするスポンジで形成してなる、請求項１、２、３、４、または５に記載の記録面上の書込み内容消去装置。
【請求項７】
前記液保持材を、ウレタン系を原料とするスポンジで形成してなる、請求項１、２、３、４、または５に記載の記録面上の書込み内容消去装置。
【請求項８】
液収納容器内の液体に漬けたとき液体を含浸することができる多孔質体で形成する液保持材と、その液保持材を取り付けるホルダと、そのホルダに開閉自在に取り付け、閉じたとき前記液保持材を圧縮してその液保持材に含浸する余分な液体を絞り出す絞り手段を兼ねる取っ手とからなり、
記録面を拭いて前記液保持材で液体を付着し、前記記録面上の書込み内容を消去する記録面上の書込み内容消去装置に用いる、
消し具。
【請求項９】
前記取っ手を閉じたとき、一部が前記ホルダに突き当たるようにして前記取っ手のそれ以上の回動を阻止する、請求項８に記載の消し具。
【請求項１０】
前記絞り手段を兼ねる前記取っ手を閉じて折り畳むときの折り畳み角度を調整可能としてなる、請求項８または９に記載の消し具。
【請求項１１】
前記ホルダとの間に、開いたとき互いに係合してその開いた状態を保持する凹凸部を設けてなる、請求項８、９、または１０に記載の消し具。
【発明の詳細な説明】
【０００１】
【発明の属する技術分野】
この発明は、液体を含浸する黒板消しや白板消し等の消し具で拭いて黒板や白板等の記録面に液体を付着し、その液体とインクとの化学反応で記録面上の文字や絵等の書込み内容を消去する、記録面上の書込み内容消去装置に関する。および、そのような書込み内容消去装置に用いる消し具に関する。
【０００２】
【従来の技術】
従来、たとえば白板に字や絵を書くとき、特開平７−９０２１４号公報に示すようなマーカーペン状の筆記具を用い、特開平７−９０２１３号公報に示すような有色インクを付着し、白板上に書込みを行うものがある。
【０００３】
この種のものでは、たとえば実開昭６２−１３８０９６号公報や特開昭６３−２２１０９８号公報に示すような消し具を用い、その消し具で拭いてフェルト付きスポンジや発泡材などの液保持材で白板に液体を付着し、その液体とインクとの化学反応で白板上の書込み内容を消去していた。
【０００４】
ところが、そのような実開昭６２−１３８０９６号公報や特開昭６３−２２１０９８号公報に示す消し具で拭くと、白板上が乾くまではその上に新たな書込みを行うことができなかった。
【０００５】
そこで、従来の消し具の中には、特開平６−３３６０９９号公報に示すように、液体を滲出させて液体を付着する液付着部と、記録面に付着している液体を拭き取る拭き取り部とを並べて設けるものがある。そして、消すときは、その消し具で記録面を拭き、液付着部で液体を付着して書込み内容を消去して後、拭き取り部で液体を拭き取り記録面を直ちに乾燥するようにしてした。
【０００６】
【発明が解決しようとする課題】
しかしながら、そのような従来の消し具では、記録面を拭いたとき、その記録面上のワックス等の不純物が付着し、それが徐々に堆積して液付着部や拭き取り部の孔を塞ぎ、消去性能や拭き取り性能を低下する問題があった。
【０００７】
そこで、この発明の目的は、永い間使用しても消し具の消去性能や拭き取り性能が低下することなく、消去後でも記録面に直ちに書込みを行うことができるようにすることにある。
【０００８】
【課題を解決するための手段】
そのため、請求項１に記載の発明は、たとえば以下の図１ないし５に示す実施の形態のように、
消し具３３で拭いてその液保持材３９で記録面ａに水３１のような液体を付着し、その液体とインクとの化学反応で前記記録面ａ上の書込み内容を消去する記録面上の書込み内容消去装置において、
液体を収納する液収納容器３０を備え、
その液収納容器３０内の液体に前記消し具３３を漬けたとき液体を含浸することができる多孔質体で前記液保持材３９を形成する一方、
前記消し具３３が、前記液保持材３９と、その液保持材３９を取り付ける、ホルダケース３４などのホルダと、そのホルダに開閉自在に取り付ける取っ手３６とからなり、
その取っ手３６が、それを閉じたとき前記液保持材３９を圧縮してその液保持材３９に含浸する余分な液体を絞り出す、絞り手段を兼ねている、
ことを特徴とする。
【０００９】
そして、請求項１に記載の発明では、記録面ａ上の書込み内容を消すとき、液収納容器３０内の液体に消し具３３を漬けて液保持材３９に液体を含浸した消し具３３を用い、絞り手段で圧縮してその液保持材３９に含浸する余分な液体を絞り出して後、その消し具３３で拭いて液保持材３９で記録面ａに液体を付着し、その液体とインクとの化学反応で記録面ａ上の書込み内容を消去する。
【００１０】
請求項２に記載の発明は、たとえば同じく以下の図１ないし５に示す実施の形態のように、請求項１に記載の記録面上の書込み内容消去装置において、前記絞り手段を兼ねる前記取っ手３６を閉じて折り畳むときの折り畳み角度を調整可能としてなる、ことを特徴とする。
【００１１】
請求項３に記載の発明は、たとえば同じく以下の図１ないし５に示す実施の形態のように、請求項１に記載の記録面上の書込み内容消去装置において、前記ホルダと前記取っ手３６に、その取っ手３６を開いたとき互いに係合してその開いた状態を保持する凹凸部３４ｂ・３６ｂを設けてなる、ことを特徴とする。
【００１２】
請求項４に記載の発明は、たとえば以下の図８に示す実施の形態のように、請求項１、２、または３に記載の記録面上の書込み内容消去装置において、前記液収納容器３０に、液体を自動的に補給する自動液体補給手段Ａを設けてなる、ことを特徴とする。
【００１３】
そして、請求項４に記載の発明では、液収納容器３０内の液体が一定以下となったとき、自動液体補給手段Ａが働いて液収納容器３０内に液体を自動的に補給する。
【００１４】
請求項５に記載の発明は、たとえば以下の図９および１０に示す実施の形態のように、請求項１、２、３、または４に記載の記録面上の書込み内容消去装置において、前記絞り手段による圧縮割合を変えて前記液保持材３９に含浸する液体の絞し出し量を部分的に異ならしめ、前記液保持材３９に、それで前記記録面ａを拭いたときその記録面ａに液体を付着する液付着部３８ａと該記録面ａに付着している液体を拭き取る拭き取り部３８ｂとを設けてなる、ことを特徴とする。
【００１５】
そして、請求項５に記載の発明では、消し具３３で記録面ａ上の書込み内容を消すとき、まず液付着部３８ａで記録面ａ上を拭き、液保持材３９に含浸する液体を付着して記録面ａ上の書込み内容を消去し、次いで拭き取り部３８ｂで記録面ａ上を拭き、記録面ａ上に残留する液体を拭き取る。
【００１６】
請求項６に記載の発明は、請求項１、２、３、４、または５に記載の記録面上の書込み内容消去装置において、前記液保持材３９を、ポリビニルアルコールを原料とするスポンジで形成してなる、ことを特徴とする。
【００１７】
請求項７に記載の発明は、請求項１、２、３、４、または５に記載の記録面上の書込み内容消去装置において、前記液保持材３９を、ウレタン系を原料とするスポンジで形成してなる、ことを特徴とする。
【００１８】
請求項８に記載の発明は、たとえば以下の図１ないし５に示す実施の形態のように、
液収納容器３０内の液体に漬けたとき液体を含浸することができる多孔質体で形成する液保持材３９と、その液保持材３９を取り付ける、ホルダケース３４などのホルダと、そのホルダに開閉自在に取り付け、閉じたとき前記液保持材３９を圧縮してその液保持材３９に含浸する余分な液体を絞り出す絞り手段を兼ねる取っ手３６とからなり、
記録面ａを拭いて前記液保持材３９で液体を付着し、前記記録面ａ上の書込み内容を消去する記録面上の書込み内容消去装置に用いる、
ことを特徴とする消し具３３である。
【００１９】
そして、請求項８に記載の発明では、記録面ａ上の書込み内容を消すとき、液収納容器３０内の液体に漬けて液保持材３９に液体を含浸し、絞り手段である取っ手３６を折り畳んでそれで圧縮し、その液保持材３９に含浸する余分な液体を絞り出して後、記録面ａ上を拭いて液保持材３９で記録面ａに液体を付着し、その液体とインクとの化学反応で記録面ａ上の書込み内容を消去する。
【００２０】
請求項９に記載の発明は、たとえば同じく以下の図１ないし５に示す実施の形態のように、請求項８に記載の消し具３３において、前記取っ手３６を閉じたとき、一部が前記ホルダに突き当たるようにして前記取っ手３６のそれ以上の回動を阻止する、ことを特徴とする。
【００２１】
そして、請求項９に記載の発明では、液保持材３９に液体を含浸して後、絞り手段である取っ手３６を閉じて液保持材３９を圧縮したとき、一部がホルダに突き当たるようにして取っ手３６のそれ以上の回動を阻止することにより、液保持材３９に含浸する余分な液体を絞り出す。
【００２２】
請求項１０に記載の発明は、たとえば同じく以下の図１ないし５に示す実施の形態のように、請求項８または９に記載の消し具において、前記絞り手段を兼ねる前記取っ手３６を閉じて折り畳むときの折り畳み角度を調整可能としてなる、ことを特徴とする。
【００２３】
そして、液保持材３９の圧縮の程度を加減し、水３１等の液体の絞り量を調整する。
【００２４】
請求項１１に記載の発明は、たとえば同じく以下の図１ないし５に示す実施の形態のように、請求項８、９、または１０に記載の消し具３３において、前記ホルダとの間に、開いたとき互いに係合してその開いた状態を保持する凹凸部３４ｂ・３６ｂを設けてなる、ことを特徴とする。
【００２５】
【発明の実施の形態】
以下、図面を参照しつつ、この発明の実施の形態について説明する。
図４には、この発明を適用することができるスタンド支持タイプの電子黒板を示す。
【００２６】
図中符号１０が電子黒板であり、全体を横長にしてスタンド１５で立てて支持する。電子黒板１０のフレームケース１１は、扁平な矩形箱板形状をなし、正面に大きな窓孔１１ａを設ける。そして、その窓孔１１ａから、フレームケース１１内で後述のごとく張り渡す記録媒体１２の一部を臨ませ、そこにフラットな記録面ａを形成してなる。そのようなフレームケース１１の手前には、下縁に沿って、筆記具１４などを乗せる細長のトレイ１３を取り付ける。
【００２７】
筆記具１４は、記録面ａに文字や絵などを書き込むマーカーペンやクレヨンなどで、図示実施の形態では、前述した特開平７ー９０２１４号公報に記載するように、筒状ケース内に、電子供与性呈色化合物と電子受容性顕色化合物とを混合した有色インクを収容したものを使用する。
【００２８】
前述したフレームケース１１の下には、また、手前に用紙受け１６を有するプリンタ１７と、２つの収納ケース１８・１９を順に並べて取り付ける。他方、フレームケース１１の片側側縁には、スイッチ群２０を設ける。スイッチ群２０の中には、上述した記録媒体１２を搬送するときの搬送スイッチ、記録媒体１２上の書込み内容を読み取るときの読取スイッチ２０ａなどを備える。
【００２９】
さて、そのようなフレームケース１１内には、左右に、図５に示すように駆動ローラ２２と従動ローラ２３とを立てて互いに平行に設ける。それらのローラ２２・２３間には前述したエンドレスの記録媒体１２を掛け渡し、図示省略したスプリングで従動ローラ２３を付勢してそれら両ローラ２２・２３間で張り渡してなる。そして、上述したスイッチ群２０の搬送スイッチを操作し、図示省略する駆動源からの回転を伝達して駆動ローラ２２を回転するとともに従動ローラ２３を従動回転し、記録媒体１２を図中左右方向に搬送可能とする。なお、図中符号２４は、記録媒体１２の裏側に設けて記録面ａに裏当てする裏板である。
【００３０】
また図５に示すように、フレームケース１１内には、片側に、読取機構部２５を設ける。読取機構部２５は、詳しくは図示省略するが、複写機やこの種の電子黒板などではすでにあまねく公知のものであり、記録媒体１２の搬送とともにその記録媒体１２上の書込み内容を読み取るものである。
【００３１】
そして、この電子黒板１０を使用するときは、筆記具１４を持って文字や絵を書き、記録面ａにインクを付着して電子供与性呈色化合物と電子受容性顕色化合物との分子接触によって発色することで書込みを行う。その書込み内容を用紙に記録するときは、スイッチ群２０の中の読取スイッチ２０ａを操作し、記録媒体１２を搬送して読取機構部２５で記録面ａ上の書込み内容を読み取る。そして、その読取機構部２５からの信号をプリンタ１７に入れ、読取内容を縮小して該プリンタ１７内に備える用紙に記録し、用紙受け１６上にプリントアウトする。
【００３２】
ところで、上述した電子黒板１０に書き込んだ書込み内容を消去するときには、請求項１に記載の発明である図１に示す書込み内容消去装置を用いる。図中符号３０は、液収納容器である。液収納容器３０内には、図示実施の形態では、水３１を収納してなる。
【００３３】
図中符号３３は、消し具である。消し具３３は、図２に示すように、やや細長で四角い形状をなすホルダケース３４と、その長手方向の一方から突出する二股部３４ａ間に板状突出部３６ａを嵌め込んで支軸３５を中心として開閉自在に取り付けるこの発明でいう絞り手段を兼ねる取っ手３６と、比較的硬質の発泡体３７に比較的軟質の多孔質体３８を接着などで貼り合わせ、硬質の発泡体３７の方を若干圧縮してホルダケース３４内に嵌め込み取り付ける液保持材３９とからなる。
【００３４】
そして、常時は、図２に示すとおり、取っ手３６を開き、その板状突出部３６ａに設ける両側の突起３６ｂ・３６ｂを、それぞれ二股部３４ａに設ける両内面の凹部３４ｂ・３４ｂに係合し、その開いた状態を保持してなる。
【００３５】
そうして、いま電子黒板１０に書き込んだ書き込み内容を消去するときは、消し具３３の取っ手３６を持って液保持材３９の全部または図１に示すように一部を液収納容器３０内の水３１中に漬ける。そして、毛細管現象を利用してその水３１を吸い上げ、液保持部材３９に水を満遍なく含浸する。
【００３６】
その後、取っ手３６を持って液収納容器３０から取り出し、次には支軸３５を中心として取っ手３６を回動し、突起３６ｂ・３６ｂと凹部３４ｂ・３４ｂとの係合を解除して図３に示すように液保持材３９に接触する位置まで折り畳み、さらに取っ手３６をホルダケース３４とほぼ平行となるまで閉じて液保持材３９全体を等しく圧縮し、液保持材３９に含浸する余分な水３１を絞り出す。図示しないが、取っ手３６がホルダケース３４とほぼ平行となったとき、たとえば取っ手３６の一部がホルダケース３４に突き当たるようにし、それ以上の取っ手３６の回動を阻止するようにする。
【００３７】
それから、再び取っ手３６を開き、突起３６ｂ・３６ｂを凹部３４ｂ・３４ｂにクリック感をもって係合して図２に示す開いた状態とし、取っ手３６を持って消し具３３で拭いてその液保持材３９で記録面ａに適度に水３１を付着し、その水３１とインクとの化学反応で顕色化合物の効果を喪失することにより色を消して記録面ａ上の書込み内容を消去する。
【００３８】
請求項１に記載の発明では、この発明でいう絞り手段を兼ねる取っ手３６で液保持材３９を圧縮してそれに含浸する余分な水３１を絞り出して後、消し具３３で拭いてその液保持材３９で記録面ａに適度に水３１を付着するから、拭いた後の記録面ａに多くの水３１が残留することがなく、消去後の記録面ａが直ちに乾燥し、その記録面ａ上にすぐに書き込みを行うことができる。
【００３９】
また、この請求項１に記載の発明によれば、書込み内容を消去する前に、消し具３３を液収納容器３０内の水３１に漬けるから、このとき液保持材３９に付着したワックス等の不純物を洗い落すことができ、継続使用により徐々に不純物が堆積して消去性能や拭き取り性能が低下するという従来の問題点を解消することができる。
【００４０】
この発明は、たとえば上述した図１ないし５に示すように取っ手３６を折り畳み可能として、消し具３３に絞り手段を設ける。
【００４１】
消し具３３に絞り手段を設けることに代え、たとえば図６に示すように、液収納容器３０に絞り手段を設けてもよい。つまり、図示するように、液収納容器３０の入口に、対向して絞りローラ４０・４０を回転自在に設けるとともに、それらの絞りローラ４０・４０表面にそれぞれフィルム状の水切りブレード４１・４１の先端を押し当ててなる。それら水切りブレード４１・４１の基端は、液収納容器３０で支持する。
【００４２】
そして、消し具３３を水３１に漬けるときは、それらの絞りローラ４０・４０間を通してそれらを図６中鎖線で示す矢印方向に回転しながら、図６に示すように液収納容器３０内に消し具３３を入れる。液保持材３９に水３１を含浸して後、消し具３３を取り出すときは、取っ手３６を持って引き上げると、図７に示すように絞りローラ４０・４０を各々矢示方向に回転するとともに、それらの絞りローラ４０・４０間で液保持材３９を圧縮し、それに含浸する余分な水３１を絞り出すことができる。このとき、絞りローラ４０・４０に付着した水３１は、水切りブレード４１・４１でかき落し除去する。
【００４３】
なお、図１ないし５に示す実施の形態において、取っ手３６の折り畳み角度を調整可能としたり、あるいは図６および７に示す例において、絞りローラ４０・４０間の間隔を調整可能としたりすると、液保持材３９の圧縮の程度を加減し、水３１の絞り量を調整することができる。そして、書込み内容を消去して後の記録面ａが湿っていて直ちに書込みが行えないようなときには、絞り量を多く、反対に水分が不足して書込み内容をきれいに消すことができないようなときには、絞り量を少なくできる。
【００４４】
請求項４に記載の発明は、たとえば図８に示すように、液収納容器３０に、水３１を自動的に補給する自動液体補給手段Ａを設けてなる、ことを特徴とする。つまり、図示するように、自動液体補給手段Ａは、液収納容器３０内の水３１が一定高さ以上となったときに流れ出る排水管４５と、流れ出た水３１が導かれる水３１が入ったタンク４６と、タンク４６内の水３１を吸い上げるポンプ４７と、そのポンプ４７で吸い上げた水３１を液収納容器３０内に導く給水管４８とで構成する。
【００４５】
そして、消し具３３を漬けて液保持材３９に水３１を含浸することで、液収納容器３０内の水３１が減少したときは、ポンプ４７を作動してタンク４６内の水３１を給水管４８を通して液収納容器３０内に補給する。そうして、液収納容器３０内の水３１が増えて一定高さ以上となったときは、排水管４５から流れ出てタンク４６内に戻るようにする。なお、図示実施の形態では、タンク４６内にフィルタ４９を設け、タンク４６内に戻った水３１をフィルタ４９で濾過して不純物を取り除き、ポンプ４７で吸い上げて再び液収納容器３０内に送り込むようにしている。
【００４６】
ところで、図８に示す実施の形態では、ポンプ４７を用いて循環して水３１を補給した。しかし、ポンプを用いずに、たとえばチキンフィード装置により水３１を補給するようにしてもよい。
【００４７】
請求項５に記載の発明は、たとえば図９に示すように、液保持材３９の軟質多孔質体３８の厚さを左右で異ならしめ、右側の厚さＴ１を左側の厚さＴ２より薄くすることにより、絞り手段による圧縮割合を変えて液保持材３９に含浸する水３１の絞し出し量を部分的に異ならしめ、液保持材３９に、それで記録面ａを拭いたときその記録面ａに水３１を付着する液付着部３８ａと該記録面ａに付着している水３１を拭き取る拭き取り部３８ｂとを設けてなる。
【００４８】
そして、書込み内容を消去するとき、絞り手段で、液付着部３８ａは弱く圧縮して少しの水３１を絞り出し、拭き取り部３８ｂは強く圧縮して多くの水３１を絞り出す。それから、まず液付着部３８ａで拭いて含浸する水３１を記録面ａに付着し、インクとの化学反応で記録面ａ上の文字や絵を消す。次いで、拭き取り部３８ｂで拭いて記録面ａ上に残留する水３１を拭き取る。これにより、自然乾燥を待つことなく消去後の記録面ａ上にすぐに書込みを行うことができる。
【００４９】
図１０に示す実施の形態では、液保持材３９の軟質多孔質体３８の厚さを周囲と中央部とで異ならしめ、周囲の厚さＴ３を中央部の厚さＴ４より薄くすることにより、絞り手段による圧縮割合を変えて液保持材３９に含浸する水３１の絞し出し量を部分的に異ならしめ、液保持材３９に、それで記録面ａを拭いたときその記録面ａに水３１を付着する液付着部３８ａと該記録面ａに付着している水３１を拭き取る拭き取り部３８ｂとを設けてなる。
【００５０】
そして、書込み内容を消去するとき、絞り手段で、液付着部３８ａは弱く圧縮して少しの水３１を絞り出し、拭き取り部３８ｂは強く圧縮して多くの水３１を絞り出す。それから、まず液付着部３８ａで拭いて含浸する水３１を記録面ａに付着し、インクとの化学反応で記録面ａ上の文字や絵を消す。次いで、拭き取り部３８ｂで拭いて記録面ａ上に残留する水３１を拭き取る。これにより、自然乾燥を待つことなく消去後の記録面ａ上にすぐに書込みを行うことができる。
【００５１】
前者の図９に示すものでは、書込み内容を消去するとき、まず液付着部３８ａで拭いてから、次に拭き取り部３８ｂで拭くように、消し具３３を一定の方向に動かさなければならない。しかし、後者の図１０に示すものでは、消し具３３をいずれの方向に動かしても、液付着部３８ａで拭いた後で、拭き取り部３８ｂで拭くこととなり、使い勝手がよい。また、液付着部３８ａで拭くと、水３１がまわりに滲み出るが、図９に示すものでは、その滲み出た水３１を拭き取り部３８ｂで拭き取りにくいに対し、図１０に示すものでは、拭き取り部３８ｂで簡単に拭き取ることができる。
【００５２】
ところで、図９および図１０に示す実施の形態では、軟質多孔質体３８の厚さを変えて液保持材３９に液付着部３８ａと拭き取り部３８ｂとを形成した。しかし、液保持材３９側の厚さは均一にして絞り手段側にたとえば凹凸を設け、液保持材３９に、弱く圧縮して少しの水３１を絞り出す液付着部３８ａと強く圧縮して多くの水３１を絞り出す拭き取り部３８ｂとを形成するようにしてもよい。
【００５３】
請求項６に記載の発明は、たとえば上述した実施の形態において、軟質の多孔質体３８を、ポリビニルアルコールを原料とするスポンジで形成してなる、ことを特徴とする。ポリビニルアルコールを原料とするスポンジは、水溶性のポリビニルアルコールに酸を触媒として、ホルムアルデヒドを結合させるホルマール反応により、ポリビニルホルマールをつくる。その際、気孔生成剤を加え、気孔形成を行い、そのポリビニルホルマール完成後、気孔生成剤を抽出する方法により形成する。
【００５４】
請求項７に記載の発明は、たとえば上述した実施の形態において、軟質の多孔質体３８を、ウレタン系を原料とするスポンジで形成してなる、ことを特徴とする。
【００５５】
たとえば以下の図１１ないし２１に示す例のように、記録面上の書込み内容消去装置において、液保持材３９の全部または一部を、拭浄性がよくて吸水性に優れ、平滑性が高くて記録面ａに傷を付けることなく、自己発塵性がきわめて低いワイピングクロス５０で被うようにしてもよい。
【００５６】
図１１および１２には、書込み内容消去装置で用いる消し具３３を示す。この消し具３３は、ホルダケース３４の下面部に、一部をワイピングクロス５０で被って液保持材３９を取り付けてなる。
【００５７】
ホルダケース３４は、樹脂製で、縦断面ほぼ凸型をなすやや細長形状につくり、上面部に長さ方向にのびる把手３４ｃを中央にまっすぐ設けるとともに、下面部に周縁を残して浅い凹部３４ｄを形成してなる。
【００５８】
液保持材３９は、軟質な多孔質体で、そのホルダケース３４の凹部３４ｄに合わせて薄い直方体形状につくり、図１３に示すように対向する両側にそれぞれ互いに平行に直線状の長手スリット３９ａ・３９ａと小口スリット３９ｂ・３９ｂを設けてなる。
【００５９】
ワイピングクロス５０は、たとえば鐘紡株式会社製の「ザヴィーナ  ミニマックス」のように、超極細長繊維を超高収縮高密度加工を施して超高温特殊カット技術でカットした原糸断面のくさび状になったポリエステルとナイロンで形成してなる。そして、たとえば図１４に示すように長方形状につくり、各コーナーをそれぞれ図示のごとく切り落してそこに逃げ部５０ａ………を形成し、それにより周囲の対向する両側にそれぞれ互いに平行に長手のひだ５０ｂ・５０ｂと小口のひだ５０ｃ・５０ｃを設ける。
【００６０】
そうして、図１５に示すように、長手のひだ５０ｂ・５０ｂを各々長手スリット３９ａ・３９ａ内に挿入するとともに、小口のひだ５０ｃ・５０ｃを各々小口スリット３９ｂ・３９ｂ内に挿入し、スリット３９ａ・３９ａ・３９ｂ・３９ｂを貫通したひだ５０ｂ・５０ｂ・５０ｃ・５０ｃの先端をそれぞれ外向きに折り曲げ、それらを液保持材３９全面とともにアクリル等よりなる剛性の樹脂製厚板５１に二液性接着剤等を用いて貼り付ける。
【００６１】
そして、ワイピングクロス５０側を外向きとして厚板５１をホルダケース３４の凹部３４ｄ内に図１６に示すように嵌め込み、両面接着テープ等を用いて比較的交換自在に取り付ける。これにより、液保持材３９の中央をワイピングクロス５０で被った部分を液付着部３８ａとし、その周囲のワイピングクロス５０で被わない部分を拭き取り部３８ｂとしてなる。
【００６２】
このように、この消し具３３では、ワイピングクロス５０で被った部分を液付着部３８ａとするから、超極細長繊維であるワイピングクロス５０で記録面ａ上を微細な凹凸にフィットして拭き、液体を付着させながらその記録面ａ上の油膜などもきれいに拭き取ることができ、拭浄性がよいとともに、吸水性も優れている。さらに、ワイピングクロス５０を超高収縮高密度加工を施してつくるから、平滑性が高く、記録面ａの表面に傷を付けることがなく、また超高温特殊カット技術でカットするから、生地のエッジにカットカスが残らず、自己発塵性もきわめて低く押さえることができる。
【００６３】
この消し具３３では、またワイピングクロス５０で被わない部分を拭き取り部３８ｂとするから、その拭き取り部３８ｂで記録面ａ上に付着した液体をきれいに拭き取ることができる。
【００６４】
ところで、この例では、上述した消し具３３を、その不使用時は図１７に示すごとく液収納容器３０内に収納する。図示例の液収納容器３０は、全体箱型形状をなし、四角い器状の容器本体５３上をほぼ平板状の蓋体５４で被ってなる。蓋体５４は、その長手方向片側の左右に各々アーム５４ａ・５４ａを設ける。そして、それらのアーム５４ａ・５４ａの先端を各々軸５５・５５（アーム５４ａ・５４ａおよび軸５５・５５は、図１７ではともに一方は隠れて見えない）を介して容器本体５３の小口方向左右に取り付け、それらの軸５５・５５を中心として蓋体５４を、図１８に示すように容器本体５３に対してその上向き段部５３ａに当たる位置まで開くことができるようにする。
【００６５】
容器本体５３には、長手方向片側中段に排出口５３ｂを、他側中段に吸込口５３ｃをそれぞれ外向きに突出して設ける。一方、容器本体５３内には、図示のごとくその中に収納する消し具３３を乗せる、すのこやブラシや網などの消し具支持部材５６を設ける。図１７では、小口方向にのびる縦断面三角形状の山を複数平行に備える樹脂製の支持部材５６を、容器本体５３内の底部上に設置してなる。そして、その支持部材５６を埋没するように水３１を入れてなる。
【００６６】
また、容器本体５３内には、長手方向片側の左右に各々角柱体５７・５７を立て、互いに対向して設ける。そして、それらの角柱体５７・５７間に掛け渡して支持軸５８を設け、その支持軸５８で１つの絞りローラ４０を回転自在に支持する。絞りローラ４０は、水３１中に埋没することなく、常に水３１上に露出して設ける。両角柱体５７・５７間には、またその支持軸５８と平行に連結杆６０を掛け渡し、水３１中でその連結杆６０で水切りブレード６１の基端を支持する。水切りブレード６０は、フィルム状で、先端を水３１から出して絞りローラ４０の外周に押し当ててなる。
【００６７】
また、両角柱体５７・５７は、それぞれそれらから内向きに突出して支持軸５８と平行な同一直線上にある別の支持軸６２・６２を各々支持する。そして、それらの支持軸６２・６２で、絞りローラ４０の両端と対向して該絞りローラ４０上にそれぞれ押圧ローラ６３・６３を回転自在に支持する。なお、両角柱体５７・５７には、それらの押圧ローラ６３・６３とそれぞれ隣接してガイド突部５７ａ・５７ａを設けてなる。また、図１７では、各２つの角柱体５７・５７、ガイド突部５７ａ・５７ａ、支持軸６２・６２、押圧ローラ６３・６３は、それぞれ一方のみが現われている。
【００６８】
ところで、上述した液収納容器３０は、図１９に示すように、フレームケース１１の下にプリンタ１７と並べてそれで支持して設ける。図示例では、蓋体５４を開けることができるように、トレイ１３は短くつくる。
【００６９】
一方、図１９に示すように、スタンド１５の左右の支柱１５ａ・１５ｂ間の下方には、横杆６５を掛け渡す。そして、その横枠６５と右側支柱１５ｂでタンク受け６６を支持し、そのタンク受け６６上に水３１の入ったポリ容器等のタンク４６を乗せてなる。そして、図８に示す例と同様に、タンク４６の入口と前述した液収納容器３０の排出口５３ｂとを排水管４５で連結するとともに、吸込口５３ｃとをポンプ（図１９で示すものは手動のポンプ）４７を介して給水管４８で連結してなる。
【００７０】
そうして、ポンプ４７を繰り返し圧縮してタンク４６内の水３１を給水管４８を通して液収納容器３０の容器本体５３内に入れる。容器本体５３内で水３１の高さが排出口５３ｂの高さまでになったときは、その排出口５３ｂから排水管４５を通して容器本体５３内の水３１をタンク４６内に戻す。図８に示す例と同様に、タンク４６内には、フィルタを設け、タンク４６内に戻った水３１をフィルタで濾過して不純物を取り除き、ポンプ４７で吸い上げて再び液収納容器３０内に送り込むようにしている。
【００７１】
さて、いま上述した液収納容器３０内の消し具３３を用いて記録面ａ上の書込み内容を消去するときは、まず図１９に示すように、液収納容器３０の蓋体５４を開いて容器本体５３内にある消し具３３の把手３４ｃを持つ。そして、ガイド突部５７ａ・５７ａで案内して消し具３３の両側を絞りローラ４０と押圧ローラ６３間に導き、図２１に示すハンドル６８をまわして支持軸５８とともに絞りローラ４０を回転する。これにより、消し具３３を両ローラ４０・６３間に食い込ませ、液保持材３９を圧縮しながら図２０および図２１に示すようにローラ４０・６３間を通過する。
【００７２】
すると、液付着部３８ａ中の水３１は、ワイピングクロス５０を通し、または逃げ部５０ａ………から排出される。また、拭き取り部３８ｂ中の水３１は、ワイピングクロス５０で被われていないから、液付着部３８ａよりも確実に絞られる。そして、通過後の消し具３３を、図１９に示すように蓋体５４で受ける。
【００７３】
そこで、把手３４ｃを持ってこの消し具３３で記録面ａを拭くと、液付着部３８ａで記録面ａに水３１を付着してインクとの化学反応で記録面ａ上の文字や絵を消すことができるとともに、拭き取り部３８ｂで記録面ａ上に残留する水３１を確実に拭き取ることができる。
【００７４】
このように消し具３３は、使用後は、液収納容器３０内に入れて水３１に漬け、再び使用するときは液保持材３９を圧縮して余分な水３１を絞り出す。よって、液保持材３９に付着したワックス等の不純物は、適宜洗い落すことができる。洗い落された不純物は、液収納容器３０内の底部に溜るが、液収納容器３０内に収納する消し具３３がそれら底部に溜った不純物に触れることのないように、消し具３３は上述したように消し具支持部材５６で支持してなる。図示例では、消し具支持部材５６に、また液収納容器３０内での不純物の舞い上がりを防ぐ働きもさせている。
【００７５】
ところで、上述した図示例では、液保持材３９の一部をワイピングクロス５０で被ったが、液保持材３９の全部をワイピングクロス５０で被ってもよい。上述の例のように、液保持材３９の一部をワイピングクロス５０で被い、そのワイピングクロス５０で被った部分を液付着部３８ａとしてもよい。このようにすると、上述したとおり、ワイピングクロス５０で被っていない拭き取り部３８ｂを確実に絞ることができる。
【００７６】
上述した例のように、ワイピングクロス５０の一部を切り落して液保持材３９中に含浸する液体の逃げ部５０ａ………を設けてもよい。そして、液保持材３９を圧縮したとき、液付着部３８ａ中の水３１が、その逃げ部５０ａ………を通して逃げることができるようにする。
【００７７】
また、上述した例のように、ワイピングクロス５０をポリエステルとナイロンで形成してもよい。
【００７８】
さて、上述したすべての実施の形態では、この発明を電子黒板に適用した場合について説明した。しかし、この発明は、電子黒板に限らず、消し具で拭いて記録面に水やクリーナ液等の液体を付着し、その液体とインクとの化学反応で記録面上の書込み内容を消去するタイプのすべての黒板や白板などに適用することができる。
【００７９】
【発明の効果】
したがって、請求項１ないし１１に記載の発明によれば、絞り手段で液保持材を圧縮してそれに含浸する余分な液体を絞り出して後、消し具で拭いてその液保持材で記録面に適度に水を付着するから、拭いた後の記録面に多くの液体が残留することがなく、消去後の記録面が直ちに乾燥し、その記録面上にすぐに書き込みを行うことができる。
【００８０】
また、書込み内容を消去する前に、消し具を液収納容器内の液体に漬け、その液保持材を圧縮して含浸した余分な液体を絞り出すから、液保持材に付着したワックス等の不純物を洗い落すことができ、継続使用により徐々に不純物が堆積して消去性能や拭き取り性能が低下するという従来の問題点を解消することができる。
【００８１】
請求項２に記載の発明によれば、取っ手の折り畳み角度を調整可能として、液保持材の圧縮の程度を加減し、水等の液体の絞り量を調整することができる。そして、書込み内容を消去して後の記録面が湿っていて直ちに書込みが行えないようなときには、絞り量を多く、反対に水分が不足して書込み内容をきれいに消すことができないようなときには、絞り量を少なくできる。
請求項３に記載の発明によれば、ホルダと取っ手に、その取っ手を開いたとき互いに係合してその開いた状態を保持する凹凸部を設けるので、取っ手を開いたときその凹凸部をクリック感をもって係合してその開いた状態を安定的に保持することができる。
請求項４に記載の発明によれば、液収納容器に、液体を自動的に補給する自動液体補給手段を設けるから、消し具を漬けて液保持材に液体を含浸することで、液収納容器内の液体が減少したとき、自動液体補給手段で液収納容器内に液体を自動的に補給することができる。
【００８２】
請求項５に記載の発明によれば、消し具で記録面上の書込み内容を消すとき、まず液付着部で記録面上を拭き、液保持材に含浸する液体を付着して記録面上の書込み内容を消去し、次いで拭き取り部で記録面上を拭き、記録面上に残留する液体を拭き取るから、消去後の記録面に、自然乾燥を待つことなくすぐに書込みを行うことができる。
【００８３】
請求項６および７に記載の発明によれば、液保持材をポリビニルアルコールを原料としまたはウレタン系を原料とするスポンジで形成し、液体の含浸性能や保水性能を高めることができる。
【００８４】
請求項８に記載の発明によれば、絞り手段である取っ手を折り畳んでそれで液保持材を圧縮し、その液保持材に含浸する余分な液体を絞り出すことができる。
【００８５】
請求項９に記載の発明によれば、取っ手を閉じたとき、一部がホルダに突き当たるようにして取っ手のそれ以上の回動を阻止するので、液保持材に含浸する余分な液体を絞り出して液保持材で記録面に適度に液体を付着することができる。
【００８６】
請求項１０に記載の発明によれば、取っ手の折り畳み角度を調整可能として、液保持材の圧縮の程度を加減し、水等の液体の絞り量を調整することができる。
請求項１１に記載の発明によれば、ホルダとの間に、開いたとき互いの凹凸部を係合するので、開いたときその凹凸部をクリック感をもって係合してその開いた状態を安定的に保持することができる。
【図面の簡単な説明】
【図１】請求項１に記載の発明の一実施の形態である書込み内容消去装置を説明するもので、液収納容器内に消し具を挿入した状態図である。
【図２】その消し具の斜視図である。
【図３】その消し具の液保持材を圧縮して液体を絞り出している状態を示す状態説明図である。
【図４】その書込み内容消去装置を適用する電子黒板の斜視図である。
【図５】その内部機構の部分斜視図である。
【図６】他例である書込み内容消去装置を説明するもので、液収納容器内に消し具を挿入した状態図である。
【図７】その消し具の液保持材を圧縮して液体を絞り出している状態を示す状態説明図である。
【図８】請求項４に記載の発明の一実施の形態である書込み内容消去装置を説明するもので、それで用いる自動液体補給装置の構成説明図である。
【図９】請求項５に記載の発明の一実施の形態である書込み内容消去装置を説明するもので、それで用いる消し具の斜視図である。
【図１０】それで用いる他の消し具の一部破断斜視図である。
【図１１】また他例である書込み内容消去装置を説明するもので、それで用いる消し具の斜視図である。
【図１２】その消し具を底面側から見て示す斜視図である。
【図１３】その消し具を構成する液保持材の平面図である。
【図１４】その消し具を構成するワイピングクロスの展開平面図である。
【図１５】その液保持材の一部をワイピングクロスで被って厚板に取り付けた状態の平面図と中央縦断正面図と中央縦断右側面図である。
【図１６】それをホルダケース３４に取り付けて完成した消し具を、一部断面にして示す側面図である。
【図１７】その消し具を液収納容器内に収納して示す縦断面図である。
【図１８】その液収納容器を、蓋体を開いて示す正面図である。
【図１９】この例の書込み内容消去装置を適用した電子黒板の斜視図である。
【図２０】使用時にその消し具の液保持材を液収納容器の絞り手段で絞っている状態を示す縦断面図である。
【図２１】その状態を示す平面図である。
【符号の説明】
３０  液収納容器
３１  水（液体）
３３  消し具
３４ ホルダケース（ホルダ）
３４ｂ 凹部（凹凸部）
３６  取っ手（絞り手段）
３６ｂ 突起（凹凸部）
３８ａ  液付着部
３８ｂ  拭き取り部
３９  液保持材
ａ  記録面
Ａ  自動液体補給手段
【図１】
0003569088.tif 000002
【図２】
0003569088.tif 000003
【図３】
0003569088.tif 000004
【図４】
0003569088.tif 000005
【図５】
0003569088.tif 000006
【図６】
0003569088.tif 000007
【図７】
0003569088.tif 000008
【図８】
0003569088.tif 000009
【図９】
0003569088.tif 000010
【図１０】
0003569088.tif 000011
【図１１】
0003569088.tif 000012
【図１２】
0003569088.tif 000013
【図１３】
0003569088.tif 000014
【図１４】
0003569088.tif 000015
【図１５】
0003569088.tif 000016
【図１６】
0003569088.tif 000017
【図１７】
0003569088.tif 000018
【図１８】
0003569088.tif 000019
【図１９】
0003569088.tif 000020
【図２０】
0003569088.tif 000021
【図２１】
0003569088.tif 000022